(57)【要約】【課題】錠剤を定数量だけ確実にかつ容易に取り出すことができる定数量取り出し機能を有し、かつ部品点数の少ない定数量錠剤取り出し容器を提供する【解決手段】複数個の錠剤１０を収容可能で上面２０が開放している空間１１を有しかつ空間１１を入口通路１５を通して連通する計数室１４と錠剤収容室１３に区分する区分壁１２とを有する容器本体２と、空間１１の上面２０を閉じ得る天板１８を有し容器本体２に摺動可能に係合し容器本体２の計数室１４を開閉する蓋体３とを備え、蓋体３は摺動によって変位して入口通路１５を開閉する計量ストッパー２６を有し、計量ストッパー２６は入口通路１５を閉じる過程において入口通路１５内にある錠剤１０と当接して錠剤１０を入口通路１５外に押し出す当接面３１を有する【選択図】    図２
2005015006.tif 000002
【特許請求の範囲】
【請求項１】
複数個の錠剤を収容可能で上面が開放している空間を有しかつ前記空間を入口通路を通して連通する計数室と錠剤収容室に区分する区分壁とを有する容器本体と、前記空間の前記上面を閉じ得る天板を有し前記容器本体に摺動可能に係合し前記容器本体の前記計数室を開閉する蓋体とを備え、前記蓋体は前記摺動によって変位して前記入口通路を開閉する計量ストッパーを有し、前記計量ストッパーは前記入口通路を閉じる過程において前記入口通路内にある錠剤と当接して前記錠剤を前記入口通路外に押し出す当接面を有するものであることを特徴とする定数量錠剤取り出し容器。
【請求項２】
前記計数室の前記入口通路側の端部とは反対側をなす端部は仕切板によって仕切られているを特徴とする請求項１記載の定数量錠剤取り出し容器。
【請求項３】
前記本体容器及び前記蓋体のうちの一方に固設されていて他方と当接して前記計数室を開閉する相対位置を規定するストッパー部材を有することを特徴とする請求項１記載の定数量錠剤取り出し容器。
【発明の詳細な説明】
【０００１】
【産業上の利用分野】
この発明は錠剤を収納し、かつ定数量ずつ取り出す場合に使用する容器に関するものである。
【０００２】
【従来の技術】
嗜好品、サプリメント、薬剤は一度の摂取量の適量が定められており、これらの錠剤は、容器に収納され、容器から取り出して使用される。
【０００３】
これらサプリメントなど、錠剤の容器には遮光性、防潤性が求められている。
【０００４】
これに対し従来の錠剤取り出し容器においては、びん形のものも箱形のものもあるが、取り出す際には容器から不定数量の内容物を手のひらに載せるなどして取り出し、取り出し量が少ないときは振り出し動作を繰り返し、また、取り出しすぎた場合には容器に戻す必要が生じる。
【特許文献１】昭和５９年実用新案出願公告第１６３０７号
現在市場に出回っているタブレット系の容器は、その多くがスライド開閉式による２ピース構成であり、部品点数が少ないため容器代は安くあがるが、定量数個を取り出す機能は付加されていないか、或いはその機能が付加されていても、正確な計量が困難だったり、計量及び取り出し操作が煩雑であったりした。このため、サプリメント等のタブレットに使用するスライド式錠剤容器の場合、瓶形状と違い、開口部が小さく、一旦取り出し過ぎたものを容器に戻し難い上に、直接手の上に取り出した内容物を容器に戻すため、内容物を濡らしたり、不潔感も伴うことになり、また取り出し操作を数回繰り返す必要がある。
【０００５】
このようなことから錠剤を、定数量だけ簡単な操作で取り出すことができる容器の開発が望まれている。
【０００６】
この発明は上記の如き事情に鑑みてなされたものであって、錠剤を定数量だけ確実にかつ容易に取り出すことができる定数量取り出し機能を有し、かつ部品点数の少ない定数量錠剤取り出し容器を提供することを目的とするものである。
【０００７】
【構成】
この目的に対応して、この発明の定数量錠剤取り出し容器は、複数個の錠剤を収容可能で上面が開放している空間を有しかつ前記空間を入口通路を通して連通する計数室と錠剤収容室に区分する区分壁とを有する容器本体と、前記空間の前記上面を閉じ得る天板を有し前記容器本体に摺動可能に係合し前記容器本体の前記計数室を開閉する蓋体とを備え、前記蓋体は前記摺動によって変位して前記入口通路を開閉する計量ストッパーを有し、前記計量ストッパーは前記入口通路を閉じる過程において前記入口通路内にある錠剤と当接して前記錠剤を前記入口通路外に押し出す当接面を有するものであることを特徴としている。
【０００８】
【実施態様】
以下この発明の詳細を一実施例を示す図面について説明する。
図１において、１は定数量錠剤取り出し容器である。定数量錠剤取り出し容器１は摺動可能に嵌合する容器本体２と蓋体３とからなっていて、全体として直方体状の箱形をなしている。図１では容器本体２と蓋体３を明確に区別する目的で逆方向のハッチングが施されている。
【０００９】
図２から図５に示すように、容器本体２は底壁４と囲壁すなわち前壁５、後壁６、右側壁７及び左側壁８を有していて空間１１を構成している。この空間１１の上面２０は開放である。空間１１内には区分壁１２が配置されて錠剤収容室１３と計数室１４を区分している。錠剤収容室１３は数回の取り出しをまかなえるだけの多数の錠剤を収納することができる室であり、計数室１４は１回の取り出し操作で取り出す定数量の錠剤の個数を計数し、かつ取り出しの窓口となる室である。
【００１０】
区分壁１２は右側壁７から左側壁８に向って空間１１を横断して設けられているが、区分壁１２の先端９は右側壁７までは達していなくて、先端９と右側壁７との間には幅ｄ１（図５参照）の開口が残されており、この開口が入口通路１５  の出入口１６になり、出入口１６から前壁５寄りの部分が入口通路１５となっている。したがって入口通路１５は計数室１４と隣接して計数室１４に開口している。こうして錠剤収容室１３と計数室１４は入口通路１５を通して連通する。入口通路１５、出入口１６は錠剤１０を通すことができる断面積を有する。
【００１１】
計数室１４は１回の取り出し操作で取り出す定数の錠剤を計数する室であり、その定数だけの錠剤を収容することができる容積を有する。この計数室１４の容積の限定は入口１５の反対側の容器本体２の左側壁８によって行ってもよいが、計数室１４の壁面として機能し得る仕切板１７を設けて行ってもよい。この仕切板１７を用いる場合は、一回の取り出しの定数量を変更する必要が生じたときに定数量錠剤取り出し容器１の設計を大きく変えることなしに仕切板１７の位置を変更するだけで計数室１４の容積を変えることができる。仕切板１７は可動式でもよいし容器本体２に固定した固定式のものでもよい。
【００１２】
蓋体３は天板１８と後壁２１、左壁２２、右壁２３を有し、前面及び底面は開放である。天板１８は容器本体２の空間１１の上面２０を覆い得る大きさ及び形状を有し、左右の壁２２、２３の下端が底面に回り込んだ回り込み部２４、２５によって容器本体２の底壁４の側縁部を抱え込んだ状態で容器本体２と嵌合し、摺動可能に係合する。
【００１３】
蓋体３には計量ストッパー２６が設けられている。計量ストッパー２６は蓋体３に固定し、蓋体３が容器本体２に嵌合した状態において容器本体２の空間１１内に突出し、蓋体３の摺動によって入口通路１５に出入りする変位をし、入口通路１５を開閉する。計量ストッパー２６が前壁５と隣接する入口通路１５の先端にあるときは入口通路１５及び出入口１６を錠剤１０の径よりも大きい幅ｄ２だ  け開くので、計量ストッパー２６は開位置２７にあることになり、入口通路１５を通して計数室１４に錠剤収容室１３から錠剤１０を送り込むことができる。
【００１４】
計量ストッパー２６が区分壁１２と隣り合う位置、すなわち出入口１６にあるときには、計量ストッパー２６と区分壁１２との間が錠剤１０の径よりも小さい幅ｄ３しか開いていないので、出入口１６が計量ストッパー２６によって塞がれ  て錠剤１０を通すことがないので計量ストッパー２６は閉位置２８にあることになり、入口通路１５は閉じられたことになる。計量ストッパー２６が開位置２７から閉位置２８に達するまで入口通路１５内を移動する間には、もし入口通路１５内に錠剤１０が存在するときには計量ストッパー２６の当接面３１がその錠剤１０に当接し、計量ストッパー２６の移動にしたがって錠剤１０を押し、その錠剤１０を錠剤収容室１３に戻すことになる。容器本体２と蓋体３との間には蓋開ストッパー３２及び蓋閉ストッパー３３が設けられている。
【００１５】
蓋開ストッパー３２は計数室１４を開くために蓋体３が後退する適正な限界位置を規定するためのストッパーであり、一方、蓋閉ストッパー３３は計数室１４を閉じるために蓋体３が前進する適正な限界位置を規定するためのストッパーである。いずれのストッパーも、容器本体２と蓋体３のうちの一方に固設されていて他方と当接して相対的な移動を抑制する機能を持つものであるが、この実施例においては、蓋開ストッパー３２は天板１８に固設されて突出しており、容器本体２の後壁６と接当して蓋体３の相対的後退位置を規定し、蓋閉ストッパー３３は蓋体３に固設されて容器本体２の区分壁１２の上面と接当して蓋体３の相対的前進位置を規定する。
【００１６】
次にこのように構成された定数量錠剤取り出し容器１の動作について説明する。
容器本体２の錠剤収容室１３に多数の錠剤１０を供給し、この状態で蓋体３を嵌合させて錠剤収容室１３の開放の天面を天板１８で閉じ、これにより錠剤１０を収容した定数量錠剤取り出し容器１が完成し、このとき計量ストッパー２６は入口通路１５を開いた開位置２７に位置している。このとき一回の取り出し操作による取り出し個数を定数個、例えば、図示の場合は３個とすると、４個の錠剤１０（ａ、ｂ、ｃ、ｄ）が錠剤収容室１３から出入口１６を通過して流れ込んでおり、このうち、３個の錠剤１０（ａ、ｂ、ｃ）が計数室１４の容積によって規制されて計数室１４内に入っており、残り１個の錠剤１０（ｄ）が入口通路１５に入っている。この容器本体２と錠剤収容室１３が完全に一致して重なっている状態は蓋開ストッパー３３が区分壁１２と接触して位置決めしている。
【００１７】
次に定数個の錠剤１０を取り出す場合は、手指で蓋体３を押して摺動させ後退させる。蓋開ストッパー３２が容器本体２の後壁６に当接して蓋体３の開位置が規定されたとき、計数室１４は全開となる。これに先立って開位置２７にあった計量ストッパー２６が蓋体３の後退によって閉位置２８まで移動し、この移動によって計量ストッパー２６が入口通路１５内にある錠剤１０（ｄ）を押し戻して錠剤収容室１３に戻す。後退動作の最後の行程として計量ストッパー２６が入口通路１５の出入口１６を閉じる。
【００１８】
この状態では計数室１４内には定数個（３個）だけの錠剤１０（ａ、ｂ、ｃ）が残っており、かつ計数室１４の上面は開いているので、定数量錠剤取り出し容器１を裏返しにすれば錠剤１０（ａ、ｂ、ｃ）を振り出すことができる。再び蓋体２を前進させて計数室１４を天板１８で閉じれば、入口通路１５が開いて最初の状態に戻る。
【００１９】
【発明の効果】
この発明の定数量錠剤取り出し容器１では一度に計数室１４内に入り込み得る錠剤１０の個数はｎ個に限定され、それ以上の錠剤１０は容器本体２の錠剤収容室１３に押し戻され、計数室１４だけが外部に開放されて錠剤１０を振り出すので、正しく定数量だけの内容物を取り出すことができ、それ以上の錠剤１０には手を触される必要がないので、きわめて清潔である。また、この定数量錠剤取り出し容器１は容器本体２と蓋体３の合計２部品だけで構成されているので、部品点数もきわめて少ない。
【００２０】
以上の説明から明らかな通り、この発明によれば錠剤の内容物を定数量だけ確実に取り出すことができる定数量取り出し機能を有し、かつ部品点数の少ない定数量錠剤取り出し容器を得ることができる。
【００２１】
【図面の簡単な説明】
【図１】定数量錠剤取り出し容器を示す図で、（ａ）は正面図、（ｂ）は左側面図、（ｃ）は背面図、（ｄ）は正面図、（ｅ）は底面図。
【図２】定数量錠剤取り出し容器を示す図で、（ａ）は閉じた状態の平面図、（ｂ）は開いた状態の平面図。
【図３】図２（ａ）におけるｂ−ｂ部断面図。
【図４】定数量錠剤取り出し容器の斜視説明図。
【図５】定数量錠剤取り出し容器の動作を示す図で、（ａ）は閉じた状態の部分説明図、（ｂ）は開いた状態の部分説明図。
【符号の説明】
１    定数量錠剤取り出し容器
２    容器本体
３    蓋体
４    底壁
５    前壁
６    後壁
７    右側壁
８    左側壁
１０  錠剤
１１  空間
１２  区分壁
１３  錠剤収容室
１４  計数室
１５  入口通路
１６  出入口
１７  仕切板
１８  天板
２０  上面
２１  後壁
２２  左壁
２３  右壁
２４  回り込み部
２５  回り込み部
２６  計量ストッパー
２７  開位置
２８  閉位置
３１  当接面
３２  蓋開ストッパー
３３  蓋閉ストッパー
【図１】
2005015006.tif 000003
【図２】
2005015006.tif 000004
【図３】
2005015006.tif 000005
【図４】
2005015006.tif 000006
【図５】
2005015006.tif 000007